(57)【要約】【課題】  オートブラケット撮影した画像の中から顔などの画像を合成する場合に、各部位の最適画像を簡単に見つけることができ合成るデジタルカメラおよびその画像合成方法を提供することを目的とする。【解決手段】  デジタルカメラ10は、手操作で、オートブラケット撮影の指示が入力されて撮像することにより撮影対象がオートブラケット撮影される。ここで、画像表示モードにおいてこのオートブラケット撮影された複数枚の画像から１枚の元画像が可視表示され、手操作により元画面を順次入れ替えで可視表示される。さらに撮影対象に含まれる顔部分が検出され、可視表示されている元画面の顔部分に枠表示が重ねて表示され、手操作により枠表示に複数枚の画像の同じ撮影対象の他の顔部分と順次入れ替えて可視表示されることにより、操作者が簡単に最適な顔部分を選択することができる。【選択図】図１
2009171466.tif 000002
【特許請求の範囲】
【請求項１】
撮影対象を撮像して該撮影対象を表す撮像信号を生成する撮像手段と、
複数枚の画像を撮像するオートブラケット撮影の指示を含む操作者の指示を入力する手操作手段と、
該手操作手段によりオートブラケット撮影を指示されると、前記撮像手段を制御して該撮像手段に撮影対象をオートブラケット撮影にて撮像させる撮影制御手段と、
前記撮像信号を信号処理して画像を合成する信号処理手段と、
撮像信号を画像信号として保存する保存手段と、
前記画像信号の表す画像を可視表示する画像表示手段とを含み、
前記信号処理手段は、
画像表示モードにおいて前記保存手段から前記画像信号を得て、前記オートブラケット撮影された複数枚の画像から１枚の元画像を前記画像表示手段に表示し、
前記手操作手段に応動して、前記オートブラケット撮影された複数枚の画像を前記元画像と順次入れ替えて、前記画像表示手段に表示し、
前記画像信号から前記撮影対象に含まれる顔部分を検出し、前記画像表示手段に表示されている元画像の顔部分に枠表示を重ねて表示し、
前記手操作手段に応動して、前記枠表示された顔部分を前記複数枚の画像の同じ撮影対象の他の顔部分と順次入れ替えて、前記画像表示手段に表示し、これによって操作者に一つの顔部分を選択させることを特徴とするデジタルカメラ。
【請求項２】
請求項１に記載のデジタルカメラにおいて、前記信号処理手段は、
前記手操作手段に応動して、前記複数枚の画像の画像信号から前記撮影対象に含まれる顔部分を検出し、同じ撮影対象のすべての顔部分の一覧表示を前記画像表示手段に表示し、
前記手操作手段に応動して、これによって操作者に前記一覧表示から一つの顔部分を選択させることを特徴とするデジタルカメラ。
【請求項３】
請求項２に記載のデジタルカメラにおいて、
前記撮影制御手段は、前記手操作手段によりオートフォーカスブラケット撮影を指示されると、前記撮像手段を制御して該撮像手段に撮影対象をオートフォーカスブラケット撮影にて撮像させ、
前記信号処理手段は、前記一覧表示と前記オートフォーカスブラケット撮影で得られた前記顔部分画像のフォーカス評価値とを、前記画像表示手段に同時に表示することを特徴とするデジタルカメラ。
【請求項４】
請求項２に記載のデジタルカメラにおいて、
前記撮影制御手段は、前記手操作手段により露出ブラケット撮影を指示されると、前記撮像手段を制御して該撮像手段に撮影対象を露出ブラケット撮影にて撮像させ、
前記信号処理手段は、前記一覧表示と前記露出ブラケット撮影で得られた前記顔部分画像の露出評価値とを、前記画像表示手段に同時に表示することを特徴とするデジタルカメラ。
【請求項５】
撮影対象を撮像して該撮影対象を表す撮像信号を生成する撮像工程と、
複数枚の画像を撮像するオートブラケット撮影の指示を含む操作者の指示を入力する手操作工程と、
該手操作工程においてオートブラケット撮影を指示されると、前記撮像工程において撮影対象をオートブラケット撮影にて撮像させる撮影制御工程と、
画像表示モードにおいて前記オートブラケット撮影された複数枚の画像から１枚の元画像を可視表示する元画面表示工程と、
前記手操作工程からの指示に応動して、前記オートブラケット撮影された複数枚の画像を前記元画像と順次入れ替えて可視表示する工程と、
画像信号から前記撮影対象に含まれる顔部分を検出し、前記元画像表示工程で可視表示されている元画像の顔部分に枠表示を重ねて表示する工程と、
前記手操作工程からの指示に応動して、前記枠表示された顔部分を前記複数枚の画像の同じ撮影対象の他の顔部分と順次入れ替えて可視表示する工程とを含み、これによって操作者に一つの顔部分を選択させることを特徴とするデジタルカメラの画像合成方法。
【請求項６】
請求項５に記載のデジタルカメラの画像合成方法において、
前記撮影制御工程は、前記手操作工程からの指示に応動して、前記複数枚の画像の画像信号から前記撮影対象に含まれる顔部分を検出し、同じ撮影対象のすべての顔部分の一覧表示を可視表示する工程を含み、
該方法はさらに、前記手操作工程からの指示に応動して、操作者に前記一覧表示から一つの顔部分を選択させる工程を含むことを特徴とするデジタルカメラの画像合成方法。
【請求項７】
請求項６に記載のデジタルカメラの画像合成方法において、
前記撮影制御工程は、前記手操作工程からオートフォーカスブラケット撮影を指示されると、前記撮像工程において撮影対象をオートフォーカスブラケット撮影にて撮像させる工程を含み、
該方法はさらに、前記オートフォーカスブラケット撮影で得られた顔部分画像のフォーカス評価値を同時に可視表示する工程を含むことを特徴とするデジタルカメラの画像合成方法。
【請求項８】
請求項６に記載のデジタルカメラの画像合成方法において、
前記撮影制御工程は、前記手操作工程から露出ブラケット撮影を指示されると、前記撮像工程において撮影対象を露出ブラケット撮影にて撮像させる工程を含み、
該方法はさらに、前記露出ブラケット撮影で得られた顔部分画像の露出評価値を同時に可視表示する工程を含むことを特徴とするデジタルカメラの画像合成方法。
【発明の詳細な説明】
【技術分野】
【０００１】
本発明は、デジタルカメラ、とくに画像データから操作者にとって意図した画像データの選択を行う機能を有するデジタルカメラおよびその画像合成方法に関するものである。
【背景技術】
【０００２】
一般に、人物を被写体として撮影する場合、デジタルカメラは、レンズを被写体に向けた時、被写体を撮影準備画像として撮影し、この撮影準備画像から顔エリアを検出し、これを基に撮影条件を決定して、本番撮影を行う。また撮像デバイスの高速化に伴い、条件を変えて複数枚撮影（オートブラケット撮影）し、撮影後に合成し希望する画像を得るさまざまな技術が開示されている。例えば、特開2005-128156号公報（特許文献１）には、複数の人物に対して、それぞれに顔を検出し最適なピントでオートブラケット撮影を行なうデジタルカメラが、特開2001-67459号公報（特許文献２）には、撮影時にすべての人物の顔が撮影者の希望状態になったところで撮影を停止し、顔の部位ごとに画像を合成するデジタルカメラが、特開2005-284562号公報（特許文献３）には、1枚の画像内にある顔を一覧表示するデジタルカメラが、特開2005-39365号公報（特許文献４）には、目をつぶっている人物が少ない画像を記録するデジタルカメラが、特開2001-45355号公報（特許文献５）には、複数枚撮影された画像のタッチパネルを触れることで画像合成するデジタルカメラが開示されている。
【特許文献１】特開2005-128156号公報
【特許文献２】特開2001-67459号公報
【特許文献３】特開2005-284562号公報
【特許文献４】特開2005-39365号公報
【特許文献５】特開2001-45355号公報
【発明の開示】
【発明が解決しようとする課題】
【０００３】
しかし、このような従来のオートブラケット撮影では、全員の顔にピントの合った画像が得られなかったり、複数枚撮影された同一人物の画像を比較できないためユーザが自分の好みの画像を選択するのが面倒であった。また、自動で顔の各部位が最適であるかを判断する方法が提示されているが、あらかじめ登録されたデータに基づき判断されるため本当にユーザが望んでいる画像を得ることはできず、さらに画像合成後の確認ができないため顔と首がずれてしまいやり直す必要がでてくるという問題があった。
【０００４】
本発明は、このような従来技術の欠点を解消し、ユーザがオートブラケット撮影した画像の中から顔などの各部位の最適画像を簡単に見つけることのできるデジタルカメラおよびその画像合成方法を提供することを目的とする。
【課題を解決するための手段】
【０００５】
本発明によれば、上述の課題を解決するために、撮影対象を撮像して撮影対象を表す撮像信号を生成する撮像手段と、複数枚の画像を撮像するオートブラケット撮影の指示を含む操作者の指示を入力する手操作手段と、手操作手段によりオートブラケット撮影を指示されると、撮像手段を制御してこの撮像手段に撮影対象をオートブラケット撮影にて撮像させる撮影制御手段と、撮像信号を信号処理して画像を合成する信号処理手段と、撮像信号を画像信号として保存する保存手段と、画像信号の表す画像を可視表示する画像表示手段とを含み、信号処理手段は、画像表示モードにおいて保存手段から画像信号を得て、オートブラケット撮影された複数枚の画像から１枚の元画像を画像表示手段に表示し、手操作手段に応動して、オートブラケット撮影された複数枚の画像を元画像と順次入れ替えて、画像表示手段に表示し、画像信号から撮影対象に含まれる顔部分を検出し、画像表示手段に表示されている元画像の顔部分に枠表示を重ねて表示し、手操作手段に応動して、枠表示された顔部分を複数枚の画像の同じ撮影対象の他の顔部分と順次入れ替えて、画像表示手段に表示し、一つの顔部分を選択することを特徴とする。
【０００６】
また、撮影対象を撮像してこの撮影対象を表す撮像信号を生成する撮像工程と、複数枚の画像を撮像するオートブラケット撮影の指示を含む操作者の指示を入力する手操作工程と、手操作工程においてオートブラケット撮影を指示されると、撮像工程において撮影対象をオートブラケット撮影にて撮像させる撮影制御工程と、撮像信号を信号処理して画像を合成する信号処理工程と、撮像信号を画像信号として保存する保存工程と、画像信号の表す画像を可視表示する画像表示工程とを含み、信号処理工程は、画像表示モードにおいて保存工程で保存された画像信号を得て、オートブラケット撮影された複数枚の画像から１枚の元画像を画像表示工程で可視表示し、手操作工程からの指示に応動して、オートブラケット撮影された複数枚の画像を元画像と順次入れ替えて、画像表示工程で可視表示し、画像信号から撮影対象に含まれる顔部分を検出し、画像表示工程で可視表示されている元画像の顔部分に枠表示を重ねて表示し、手操作工程からの指示に応動して、枠表示された顔部分を複数枚の画像の同じ撮影対象の他の顔部分と順次入れ替えて、画像表示工程で可視表示し、一つの顔部分を選択することを特徴とする。
【発明を実施するための最良の形態】
【０００７】
次に、添付図面を参照して、本発明によるデジタルカメラの実施例を詳細に説明する。まず、本発明によるデジタルカメラの実施例の構成について、図１を基に説明する。
【０００８】
実施例のデジタルカメラ10は、全体として、撮像部12、駆動部14、撮像処理部16、撮像信号処理部18、中央処理部20、操作部22、画像記録部24、画像合成処理部26および画像表示部28を含んで構成される。撮像部12は駆動部14を通して中央処理部20と、また撮像処理部16を通して撮像信号処理部18接続されており、撮像信号処理部18と中央処理部20と画像記録部24と画像合成処理部26と表示部28とは、内部バス30によって相互に接続されている。
【０００９】
撮像部12は、レンズや機械シャッタ、絞りなどの光学系機能、および、たとえば電荷結合デバイス(CCD) 32などの固体撮像デバイスを含む撮像系を有し、中央処理部20からの指示、たとえばオートブラケット撮影の指示に基づき駆動部14により駆動されて、複数枚の撮影画像を撮像し、これらの撮像画像信号102を撮像処理部16に送る。
【００１０】
駆動部14は、絞り駆動用モータドライバ34と焦点調整用モータドライバ36とCCD(Charge Coupled Device:結合電荷素子) 32制御用信号を供給するタイミングジェネレータ38とを含み、中央処理部20からのそれぞれの指示に応じて、撮像部12を駆動させる。
【００１１】
撮像処理部16は、撮像部12のCCD 32から送られてくるアナログの撮影信号102の雑音を除去し増幅する相関二重サンプリング・増幅器(CDS・AMP) 42と、この雑音が除去され増幅されたアナログ信号104をデジタル化した撮像信号106に変換するA/D変換器44を含み、デジタル化した撮像信号106を撮像信号処理部18に送る。
【００１２】
撮像信号処理部18は、画像入力コントローラ46と画像信号処理回路48と圧縮処理回路50とUSB I/F(Universal Serial Bus Interface) 52とVideo/LCDエンコーダ54とを含み、その各々が内部バス30によって相互に接続されている。撮像処理部16より送付されたデジタル化した撮像信号106を基に、用途に応じ、各部がそれぞれの処理を行ない、Video/LCDエンコーダ54を通して画像信号108を表示部に送る。
【００１３】
中央処理部20は、CPU(Control Processing Unit) 56、AF(Auto Focus)検出回路58およびAE(Auto Exposure)/AWB(Auto White Balance)検出回路60を含み、操作部22からの操作指示に応じて撮影の事前準備作動および撮影画像の撮影について操作部14を制御し、また本実施例の特徴である撮影画像の顔検出、画像合成を制御する本デジタルカメラの全体動作を統括制御する中央処理機能を有する。
【００１４】
CPU 56は、内部バス30に接続されている各部を制御する。
【００１５】
AF検出回路58は、最適焦点の検出を行ない、さらに1回のシャッタ釦押下で複数のカットを撮影（オートブラケット撮影）のために最適焦点から基準値を振った焦点制御を行なう。
【００１６】
AE/AWB検出回路60は、最適露出・ホワイトバランスの検出を行ない、さらにオートブラケット撮影のために最適露出・ホワイトバランスから基準値を振った最適露出・ホワイトバランス制御を行なう。
【００１７】
操作部22は、デジタルカメラ10の撮影操作および撮影モードなどの設定に対するインターフェース機能を有し、シャッタ釦(SW1) 62、切換釦(SW2) 64およびメニュー釦(SW3) 66を含む。シャッタ釦(SW1) 62は、操作者が撮影を指示するスイッチで、半押し状態および全押し状態の２段階ストローク操作できることを含む。切換釦(SW2) 64は、撮影モードと撮影画像の編集モードとを切換える。メニュー釦(SW3) 66は、撮影モードまたは編集モードの場面場面において、操作者所望のメニューを選択するスイッチで、十字釦（十字キー）を含む。
【００１８】
記録部24は、デジタル化された画像データを保持する書き換え可能な一時記憶を行なうメモリー68と画像記録の制御を行なうメディアコントローラ70および画像を記録する記録メディア72を含み、また本実施例の特徴である、画像合成を行なうための顔検出画像を一時的に保存する保存機能を有する。
【００１９】
画像処理部26は、顔検出部74と画像合成部76を含み、また本実施例の特徴である撮影画像の最適化処理を行なう。
【００２０】
顔検出部74は、オートブラッケト撮影された複数の画像に対してそれぞれの人物の顔を認識し顔エリアとして特定し、顔エリアのAF(Auto Focus)情報と露出情報を認識し、場合によってはその結果を表示部28に送付し表示する。
【００２１】
画像合成部76は、顔検出部74から得られた顔エリアの情報と操作者が操作部22のメニュー釦66たとえば十字キーで指定した情報とに基づき画像の合成を行ない、場合によってはその結果を表示部28に送付し表示する。
【００２２】
表示部28は、事前準備画像、本撮影画像およびオートブラケット撮影画像の表示を行なう画像表示装置78を含み、液晶ディスプレイデバイス(LCD)などの一般的なディスプレイ装置であってもよい。また画像表示装置78は、設定モードの各種設定を行なう際の表示や、画像合成のためのデータやグラフなどの各種条件の表示をも行なう。さらに表示画面上をタッチペンで接触することによりタッチペンデータを出力するタッチパネルを有していてもよいし、表示画面上をカーソルで指示することによりカーソルデータを出力することができる。
【００２３】
次に、本実施例のデジタルカメラにおいて、オートブラッケト撮影された画像から、選択された人物の顔の部分を所望の最適な画像に合成する動作について、図２の動作フロー図および図３Ａ、図３Ｂのイメージ図を参照にしながら詳細に説明する。このとき同じ画像内に複数の人物がいても構わない。
【００２４】
まず、操作者によりデジタルカメラ10の操作部22の切換釦64で撮影モードに、メニュー釦66でブラケット撮影モードに設定されたあと、シャッタ62が押されることにより、これらの信号がCPU 56に送られ、CPU 56からの指示に基づき駆動部14でブラケット撮影すなわち複数枚の画像が撮影され、その撮像信号が撮像処理部16でデジタル化され、撮像信号処理部18で必要な信号処理が行なわれ、画像信号として記録部24のメモリー68に保存される。
【００２５】
この状態で、操作者が最適な撮像画像を得るためにメニュー釦66を使い画像表示装置78に表示されるあらかじめ設定されたメニュー画面から画像合成モード(S202)を選択する。
【００２６】
画像合成モードが選択されると、画像表示装置78に合成を所望する元画像の選択指示(S204)が表示され、それに従いメニュー釦66で、たとえば十字キーの左右キーで所望画像が選択される(S206)と、撮影された画像が画像表示装置78に表示される。このとき画像処理部26の顔検出部74によって選択された画像中の人物の顔部分が認識され枠表示が顔部分に重ねて示される(図３Ａ)。
【００２７】
ここでメニュー釦66が、たとえば十字キーの上下キーが押されるごとに、枠表示された顔部分の画像のみが同一人物の他の顔部分の画像と入れ替わり順次表示（トグル表示）される(S208)。
【００２８】
メニュー釦66の実行キーで、たとえば十字キーの中心を押すことで複数の画像から一枚の画像が決定される(S210)。
【００２９】
画像中に複数の人物が撮影されている場合には、メニュー釦66で、たとえば十字キーの左右キーを操作する(S212)ことにより、画像中の次の人物の顔部分に枠表示80が順次移動し(S214)、所望の人物のところで、メニュー釦66の実行キーで、たとえば十字キーの上下キーで選択作業の続行（選択を終了しない）を指定する(S216)。
【００３０】
つづいて、メニュー釦66、たとえば十字キーの上下キーを押す(S212)と、そのたびに選択された人物の顔部分のみが、ブラケット撮影された同じ人物の次の画像の顔画像が順次表示される(S218)。
【００３１】
このようにして所望の顔画像を表示された状態で、メニュー釦66の実行キーで、たとえば十字キーの上下キーで選択を終了する(S216)ことにより一人の顔画像合成が一旦終了する(図３Ｂ)。このとき次の人物の合成を行なう場合は十字キーの上下キーで続行（選択を終了しない）を指定する。
【００３２】
この動作の繰り返しにより、画像中の次の人物の顔画像合成が行なわれる。もちろんこの段階で一旦顔画像合成が終了している人物の顔合成画像についても再度選択することで変更することができる。
【００３３】
所望の顔画像合成がすべて終了すると、メニュー釦66の実行キーで、たとえば十字キーで画像に表示される「選択を終了」を選択する(S216)ことで、画像合成が行なわれ(S220)、合成画像が記録部24に送信され記録される(S222)。
【００３４】
次に、本発明によるデジタルカメラ10の他の実施例、すなわち第２の実施例の動作について図４の動作フロー図および図５のイメージ図を参照にしながら詳細に説明する。なお、デジタルカメラ10の構成は、同じであるので省略する。
【００３５】
第２の実施例の動作は第１の実施例の動作に比して、合成したい顔画像の選択方法が異なる。第１の実施例は、選択画像を順次一つづつ表示して所望の画像を選択したが、第２の実施例では、すべての選択画像を一覧表示して所望の画像を選択することにある。なお、撮像動作から画像選択(S210)までは、第１の実施例と同じであるので同じ参照符号で示し、反復説明を避ける。
【００３６】
第１の実施例と同じく一枚の画像が決定されると(S410)、画像中に複数の人物が撮影されている場合には、メニュー釦66で、たとえば十字キーの左右キーを操作する(S412)ことにより、画像中の次の人物の顔部分に枠表示82が順次移動し(S414)、所望の人物のところで、メニュー釦66の実行キーで、たとえば十字キーの上下キーで人物が選択される(S416)。
【００３７】
人物の選択が決定すると、表示部28の画像表示装置78には、選択された人物のブラッケト撮影された複数枚の顔部分画像が一覧表示される(S418) (図５)。
【００３８】
次にメニュー釦66で、たとえば十字キーの左右キー(S420)で一覧表示された顔部分の画像に枠表示82を移動させることにより所望の画像が選択され(S422)、その画像でよければメニュー釦66の確認キー、たとえば十字キーの上下キーで決定され(S424)、選択された顔部分の画像が元画像に上書き合成される(S426)。
【００３９】
さらに次の人物の合成を行なう場合はメニュー釦66で、たとえば十字キーの上下キーで画像に表示される続行（選択を終了しない）を、完了する場合には画像に表示される確定（選択を終了する）を指定する(S428)。
【００４０】
続行の場合には、人物選択画面(S412)に戻り、同じ動作を繰り返され、確定の場合には合成画像が記録部24に送信され記録される(S430)。
【００４１】
次に、本発明によるデジタルカメラ10のさらに他の実施例、すなわち第３の実施例の動作について図６の動作フロー図および図7のイメージ図を参照にしながら詳細に説明する。なお、デジタルカメラ10の構成は、同じであるので省略する。
【００４２】
第３の実施例の動作は第１の実施例の動作に比して、合成したい顔画像の選択基準が異なる。第１の実施例は、ブラケット画像から所望の画像を選択したが、第３の実施例では、たとえば同時に撮影される複数の人物がデジタルカメラに対して距離が一定でないときにオートフォーカス(AF)ブラッケト撮影を行ない、撮影後すべての選択画像についてそれぞれの画像のAF評価値(フォーカスデータ情報)を表示し、データに基づいた画像を選択できることにある。なお、撮像動作から元画像選択(S204)までは、第１の実施例と同じであるので同じ参照符号で示し、反復説明を避ける。
【００４３】
第１の実施例と同じく一枚の元画像が決定されると(S204)、その元画像がAFブラケット撮影された画像かを確認する表示がされる(S606)。
【００４４】
元画像がAFブラケット撮影でない場合には、第１および第２の実施例と同じ工程となる。
【００４５】
AFブラケット撮影された画像であることが確認されると表示部28の画像表示装置78には、任意の一人物のAFブラケット撮影された複数枚数の顔部分の画像が一覧表示される(S608)。このとき枠表示82で選択されている顔部分画像のAF評価値84がたとえばグラフによって同一画面上に表示される(S610)（図７）。
【００４６】
メニュー釦66で、たとえば十字キーの左右キー(S612) を押すことにより、その都度次の人物の顔部分の一覧表示(S614)と、枠表示82で選択されている顔部分画像のAF評価値84のグラフとが表示される(S616)。ここでメニュー釦66の実行キーで、たとえば十字キーで画像に表示される続行（選択を終了しない）を選択する(S618)ことにより所望する人物の顔部分の一覧表示画像(S608)が選択される。
【００４７】
この状態で、メニュー釦66、たとえば十字キーの上下キーが押される(S612)ことにより、一覧表示された顔部分画像の枠表示82が個々の顔画像を順次移動する(S620)とともに枠表示82のある画像のAF評価値84がその都度表示される(S616)ので、このAF評価値84を確認することにより最適のフォーカスの画像が容易に選択できる。
【００４８】
この動作の繰り返しにより、画像中の人物の画像をすべて所望の状態にたとえばすべて最適なフォーカスの状態に調整した画像合成することができる。
【００４９】
所望の顔画像合成がすべて終了すると、メニュー釦66の実行キーで、たとえば十字キーで画像に表示される確定（選択を終了する）を選択する(S618)ことで、画像合成が行なわれ(S622)、合成画像が記録部24に送信され記録される(S624)。
【００５０】
次に、本発明によるデジタルカメラ10のさらに他の実施例、すなわち第４の実施例の動作について図８の動作フロー図および図９のイメージ図を参照にしながら詳細に説明する。なお、デジタルカメラ10の構成は、同じであるので省略する。
【００５１】
第４の実施例の動作は第１の実施例の動作に比して、合成したい顔画像の選択基準が異なる。第１の実施例は、ブラケット画像から所望の画像を選択したが、第４の実施例では、たとえば撮影される複数の人物が場所により明るさが異なるときに露出ブラッケト撮影を行ない、撮影後すべての選択画像についてそれぞれの画像の露出評価値(露出データ情報)を表示し、データに基づいた画像を選択できることにある。なお、撮像動作から元画像選択(S204)までは、第１の実施例と同じであるので同じ参照符号で示し、反復説明を避ける。
【００５２】
第１の実施例と同じく一枚の元画像が決定されると(S204)、その元画像が露出ブラケット撮影された画像かを確認する表示がされる(S806)。
【００５３】
露出ブラケット撮影された画像であることが確認されると表示部28の画像表示装置78には、任意の一人の露出ブラケット撮影された複数枚数の顔部分の画像が一覧表示される(S808)。このとき枠表示82で選択されている顔部分画像の露出評価値86が、たとえば明るさの分布がヒストグラムによって同一画面上に表示される(S810) （図９）。
【００５４】
メニュー釦66で、たとえば十字キーの左右キー(S812)を押すことにより、その都度次の人物の顔部分の一覧表示(S814)と枠表示82で選択されている顔部分画像の露出評価値86のヒストグラムとが表示される(S816)。ここでメニュー釦66の実行キーで、たとえば十字キーで画像に表示される続行（選択を終了しない）を選択する(S818)ことにより所望する人物の顔部分の一覧表示画像が選択される。
【００５５】
この状態で、メニュー釦66、たとえば十字キーの上下キーが押される(S812)ことにより、一覧表示された顔部分画像の枠表示82が個々の顔画像を順次移動する(S820)とともに枠表示82のある画像の露出評価値86のヒストグラムがその都度表示される(S816)ので、この露出評価値86のヒストグラムを確認することにより最適の露出画像が容易に選択できる。
【００５６】
この動作の繰り返しにより、画像中の人物の画像をすべて所望の状態にたとえばすべて最適な露出状態に調整した画像合成することができる。
【００５７】
所望の顔画像合成がすべて終了すると、メニュー釦66の実行キーで、たとえば十字キーで画像に表示される確定（選択を終了する）を選択する(S818)ことで、画像合成が行なわれ(S822)、合成画像が記録部24に送信され記録される(S824)。
【００５８】
以上、本発明の様々な実施例を説明したが、これらはそれぞれ様々な効果がある。第１の実施例によれば、操作者がシャッタを1回押して通常の撮影を行なったときに、デジタルカメラは複数枚の撮影を行ない、撮影後に複数枚撮影された画像の中から、それぞれの顔部分について、好みの画像を簡単に選択し画像合成をすることが可能となり、たとえば目を閉じている人物の顔画像を目を開いている画像に差し替えた合成画像を得ることができる。
【００５９】
第２の実施例は、第1の実施例と同じ撮影を行なった後に、画像合成を行なう際に、撮影された複数枚の一人の顔画像が一覧表示されるため、比較しながら好みの画像を簡単に選択することが可能となる。
【００６０】
第３の実施例は、複数の人物がデジタルカメラに対して距離が一定でない状態で撮影されたとしても、AFブラッケト撮影することにより複数枚撮影された画像の中から、それぞれの顔部分について最適なフォーカスの画像を簡単に選択し画像合成をすることにより失敗のない画像を得ることが可能となる。
【００６１】
また第４の実施例は、場所により複数の人物が明るさの異なる状態で撮影されたとしても、露出ブラッケト撮影することにより複数枚撮影された画像の中から、それぞれの顔部分について最適な明るさの画像を簡単に選択し画像合成をすることにより失敗のない画像を得ることが可能となる。
【００６２】
これら実施例では、それぞれ単独の機能の動作として示したが、これらの機能を組み合わせて動作させることも可能である。
【図面の簡単な説明】
【００６３】
【図１】本発明によるデジタルカメラの構成を示す構成ブロック図である。
【図２】本発明によるデジタルカメラの実施例の動作フローを示す動作フロー図である。
【図３Ａ】本発明によるデジタルカメラの実施例の画像の一部で元画面を示すイメージ図である。
【図３Ｂ】本発明によるデジタルカメラの実施例の画像の一部で選択後画面を示すイメージ図である。
【図４】本発明によるデジタルカメラの第２の実施例の動作フローを示す動作フロー図である。
【図５】本発明によるデジタルカメラの第２の実施例の画像の一部を示すイメージ図である。
【図６】本発明によるデジタルカメラの第３の実施例の動作フローを示す動作フロー図である。
【図７】本発明によるデジタルカメラの第３の実施例の画像の一部を示すイメージ図である。
【図８】本発明によるデジタルカメラの第４の実施例の動作フローを示す動作フロー図である。
【図９】本発明によるデジタルカメラの第４の実施例の画像の一部を示すイメージ図である。
【符号の説明】
【００６４】
10  デジタルカメラ
12  撮像部
14  駆動部
16  撮像処理部
18  撮像信号処理部
20  中央処理部  制御部
22  操作部
24  記録部
26  画像処理部
28  表示部
30  内部バス
80、82  枠表示
84  AF評価値
86  露出評価値
【図１】
2009171466.tif 000003
【図２】
2009171466.tif 000004
【図３Ａ】
2009171466.tif 000005
【図３Ｂ】
2009171466.tif 000006
【図４】
2009171466.tif 000007
【図５】
2009171466.tif 000008
【図６】
2009171466.tif 000009
【図７】
2009171466.tif 000010
【図８】
2009171466.tif 000011
【図９】
2009171466.tif 000012